(57)【要約】      （修正有）【課題】陳列棚に商品を収納した偏平なケースを列設積層状に載置したときの仕切と、ケースを正面向きに載置可能な展示スタンドと兼用できる陳列棚の仕切装置を提供する。【解決手段】商品を収納した偏平なケースの偏平面を横向きにて列設積層状に載置せしめる座板２と、座板に立設されると共に横向き姿勢のケースとほぼ平行に配置される仕切板３を備えて成る陳列仕切装置１。前記座板は、所定間隔の位置で仕切板を立設可能とする着脱手段を備えている。前記仕切板は、ケースの正面向き姿勢にて載置可能とする展示手段を備えている。前記展示手段は、正面向き姿勢のケースを後傾姿勢とした状態で、該ケースの底部を支承する支承部１９と、該支承部の前部から起立してケースの下端部を係止する係止突部２０と、仕切板の上部に位置してケースの背面を支持する支持部２１とから構成される。更に、前記仕切板は、支承部から連続して後向きに凹入された切欠部２２を形成している。【選択図】        図１
2004215802.tif 000002
【特許請求の範囲】
【請求項１】
商品を収納した偏平なケースＣの偏平面Ｃ１を横向きとする横向き姿勢ＣＬにて列設積層状に載置せしめる座板２と、座板２に立設されると共に横向き姿勢ＣＬのケースＣとほぼ平行に配置される仕切板３を備えて成る陳列仕切装置であり、
前記座板２は、仕切板３を前記ケースＣの列設積層方向に対して所定間隔をあけた位置にて着脱自在に立設可能とする着脱手段１０を設けており、
前記仕切板３は、ケースＣの偏平面Ｃ１を正面向きとする前向き姿勢ＣＦにて載置可能とする展示手段１８を備えており、
前記展示手段１８は、前向き姿勢ＣＦのケースＣを後傾姿勢とした状態で、該ケースＣの底部を支承する支承部１９と、該支承部１９の前部から起立することによりケースＣの前向き偏平面Ｃ１の下端部に係止する係止突部２０と、仕切板３の上部に位置してケースＣの背面Ｃ２を支持する支持部２１とから構成されており、
更に、前記仕切板３は、支承部１９から連続して後向きに凹入された切欠部２２を形成して成ることを特徴とする商品収納ケースの展示スタンド兼用の陳列仕切装置。
【請求項２】
商品を収納した偏平なケースＣの偏平面Ｃ１を横向きとする横向き姿勢ＣＬにて列設積層状に載置せしめる座板２と、座板２に立設されると共に横向き姿勢ＣＬのケースＣとほぼ平行に配置される仕切板３と、仕切板３の前側に位置して座板２の前縁部に着脱自在に立設されると共に仕切板３よりも背の低いフロント板４を備えて成る陳列仕切装置であり、
前記座板２は、仕切板３を前記ケースＣの列設積層方向に対して所定間隔をあけた位置にて着脱自在に立設可能とする着脱手段１０を設けており、
前記仕切板３は、ケースＣの偏平面Ｃ１を正面向きとする前向き姿勢ＣＦにて載置可能とする展示手段１８を備えており、
前記展示手段１８は、前向き姿勢ＣＦのケースＣを後傾姿勢とした状態で、該ケースＣの底部を支承する支承部１９と、仕切板３の上部に位置してケースＣの背面Ｃ２を支持する支持部２１とから構成されており、
更に、前記仕切板３は、支承部１９から連続して後向きに凹入された切欠部２２を形成して成ることを特徴とする商品収納ケースの展示スタンド兼用の陳列仕切装置。
【発明の詳細な説明】
【０００１】
【発明の属する技術分野】
本発明は、商品を収納した偏平なケース、例えば、ソフト格納済の商品としてのＣＤ又はＤＶＤのようなディスクやビデオカセット等を収納したケースを店舗の陳列棚に載置し陳列するに際し、ケースの偏平面を横向きとする横向き姿勢にて列設積層状に載置せしめるときの仕切機能を果たす一方において、ケースの偏平面を正面向きとする前向き姿勢にて載置可能な展示スタンドとして兼用できるようにした商品収納ケースの展示スタンド兼用の陳列仕切装置に関する。
【０００２】
【従来の技術】
従来、音楽等を録音したＣＤや、映画等を録画したＤＶＤのようなソフト格納済の商品としてのディスク、或いはビデオカセット等は、偏平なケースに収納された状態で、販売店やレンタルショップにおいて展示され陳列されている。
【０００３】
このような商品を販売又はレンタルに供するに際し、商品を収納したケースは、店舗において陳列棚の上にケースの偏平面を横向きとする横向き姿勢にて列設積層状に載置され、展示陳列される。従って、顧客は、展示されたケースの背表紙の部分に表示されたタイトル等を視認することにより商品を選択する。
【０００４】
この際、陳列棚の上に横向き姿勢にて列設積層状に載置されたケースが横倒れしないように保持するための仕切板を備えた仕切装置が提供されている。
【０００５】
【発明が解決しようとする課題】
ところで、例えば新作の商品等、店舗において特定の商品をピーアールするためには、前述のようにケースを横並び状態で展示するだけでは不十分であり、ケースの偏平面を正面向きとした姿勢で陳列し、ケースの偏平面に表示されたジャケットを視認し易いように正面に向けて展示する必要がある。
【０００６】
この点に関して、従来、商品収納ケースを陳列するために、仕切装置と展示スタンドが提供されているが、次のような問題がある。
（１）従来技術においては、前述したような仕切装置と展示スタンドは、それぞれ専用のものとして別々に提供されているので、その両者を店舗において保有し保管しなければならないという不便がある。即ち、従来は、仕切装置と展示スタンドを兼用できる構成とされたものが存在しない。
（２）この点に関して、仕切装置を構成する仕切板の前縁に後傾状の斜縁を形成することにより、仕切板の前側にケースを正面向き姿勢で立て掛ければ、仕切装置を展示スタンドとして兼用できることが知見される。然しながら、単に仕切板の前縁に斜縁を形成しただけでは、立て掛けたケースの底部が前方に向けて容易に滑動し、転倒してしまう虞れがある。
（３）そこで、更に、仕切板の下部前端にケースの前向き偏平面の下端部を係止する係止突部を設ければ、前述したようなケースの滑動による転倒を防止できることが知見される。然しながら、通常、店舗においては可及的多数の商品を陳列可能とするため、上下段の陳列棚の間隔をケースの高さ寸法に対して十分な余裕がないほどに密に配置している。即ち、上下段の陳列棚の間には、展示すべきケースを持ち上げ可能とするスペースが存在しない。従って、前述のような係止突部を設けた場合、ケースを係止突部に対して乗り越えるように上下に動かすことができないから、結局、前向き姿勢状態での展示を実現できないという問題がある。
（４）ところで、仕切装置とは別に提供されている従来の展示スタンドは、ケースを正面向き姿勢で支持するだけのものであり、その他に情報を表示する等の販売促進のための機能を有せず、付加価値に乏しいという問題がある。この点に関して、展示スタンドの前側に情報カード等を表示できるフロント板を設ければ、販促のための付加価値を与えることができると考えられるが、前述のように上下段の陳列棚の間には展示すべきケースを持ち上げ可能とするスペースが存在しないので、フロント板を設けると、前記にも増して陳列棚に設置した展示スタンドに対してケースを自由に出し入れすることができないという問題がある。
（５）更に、従来の仕切装置及び展示スタンドは、それぞれ、何れも全体が合成樹脂により一体成形されているので、保管又は運搬のために嵩張るという問題がある。
【０００７】
【課題を解決するための手段】
本発明は、上記課題を解決した商品収納ケースの展示スタンド兼用の陳列仕切装置を提供するものであり、第一の手段として構成したところは、商品を収納した偏平なケースの偏平面を横向きとする横向き姿勢にて列設積層状に載置せしめる座板と、座板に立設されると共に横向き姿勢のケースとほぼ平行に配置される仕切板を備えて成る陳列仕切装置であり、前記座板は、仕切板を前記ケースの列設積層方向に対して所定間隔をあけた位置にて着脱自在に立設可能とする着脱手段を設けており、前記仕切板は、ケースの偏平面を正面向きとする前向き姿勢にて載置可能とする展示手段を備えており、前記展示手段は、前向き姿勢のケースを後傾姿勢とした状態で、該ケースの底部を支承する支承部と、該支承部の前部から起立することによりケースの前向き偏平面の下端部に係止する係止突部と、仕切板の上部に位置してケースの背面を支持する支持部とから構成されており、更に、前記仕切板は、支承部から連続して後向きに凹入された切欠部を形成して成る点にある。
【０００８】
また、本発明が第二の手段として構成したところは、商品を収納した偏平なケースの偏平面を横向きとする横向き姿勢にて列設積層状に載置せしめる座板と、座板に立設されると共に横向き姿勢のケースとほぼ平行に配置される仕切板と、仕切板の前側に位置して座板の前縁部に着脱自在に立設されると共に仕切板よりも背の低いフロント板を備えて成る陳列仕切装置であり、前記座板は、仕切板を前記ケースの列設積層方向に対して所定間隔をあけた位置にて着脱自在に立設可能とする着脱手段を設けており、前記仕切板は、ケースの偏平面を正面向きとする前向き姿勢にて載置可能とする展示手段を備えており、前記展示手段は、前向き姿勢のケースを後傾姿勢とした状態で、該ケースの底部を支承する支承部と、仕切板の上部に位置してケースの背面を支持する支持部とから構成されており、更に、前記仕切板は、支承部から連続して後向きに凹入された切欠部を形成して成る点にある。
【０００９】
【発明の実施の形態】
以下図面に基づいて本発明の好ましい実施形態を詳述する。
【００１０】
図１及び図３に示すように、展示スタンド兼用の陳列仕切装置１（以下単に本発明装置１という）は、商品を収納した偏平なケースＣ、例えば、ソフト格納済の商品としてのＣＤ又はＤＶＤのようなディスク或いはビデオカセット等を収納したケースＣを陳列棚Ｓに陳列するに際し、ケースＣの偏平面Ｃ１を横向きとする横向き姿勢ＣＬにて列設積層状に載置せしめるときの仕切機能を果たす一方において、ケースＣの偏平面Ｃ１を正面向きとする前向き姿勢（ＣＦ）にて載置可能な展示スタンドとして兼用できるように構成されており、ケースＣの偏平面Ｃ１を横向きとする横向き姿勢ＣＬにて列設積層状に載置せしめる座板２と、座板２に立設されると共に横向き姿勢ＣＬのケースＣとほぼ平行に配置される仕切板３と、仕切板３の前側に位置して座板２の前縁部に着脱自在に立設され且つ仕切板３よりも背の低いフロント板４を備えている。
【００１１】
座板２は、合成樹脂により平面視ほぼ矩形に形成され、その幅寸法Ｗは、ケースＣの偏平面Ｃ１とほぼ同幅又はやや広幅に形成され、その奥行き寸法Ｄは、ケースＣを横向き姿勢ＣＬで載置可能な寸法に形成されている。図例の場合、奥行き寸法ＤをケースＣの偏平面Ｃ１の幅よりもやや小さく形成しているが、これに限定されるものではない。座板２は、同一構成とされた複数の座板２を幅方向に着脱自在に連設可能とするように両側縁に連結手段５を設けており、連結手段５の一方により雄手段５ａを構成し、他方により雌手段５ｂを構成している。図例の場合、雄手段５ａは、座板２の一方の側縁に沿う下向きの溝とリブにより形成され、雌手段５ｂは、座板２の他方の側縁に沿う上向きの溝とリブにより形成されており、上下から雄雌嵌合可能なように構成されているが、これに限定されるものではない。
【００１２】
仕切板３を座板２に対して着脱自在に立設可能とするため、仕切板３は、平板部１７の下縁から突出すると共に前後に間隔をあけて配置された着脱片６、６と、仕切板３の下縁後端から突出すると共に前向きのＬ形状となる鉤片７を設けており、これに対して、座板２は、該座板２の表裏を貫通して前記着脱片６、６を嵌脱自在とする着脱孔８、８と、座板２の後縁に位置して前記鉤片７を嵌脱自在とする凹部９を設けている。そこで、このような着脱片６、６と凹部９により着脱手段１０が構成されており、着脱手段１０は、座板２の幅方向に対して所定間隔ｗ１（図例では等間隔）をあけて多数（図例では８組）が設けられている。従って、仕切板３は、１つの座板２に対して、任意の組とされた着脱手段１０に嵌着することができる。この際、１つの座板２につき、複数枚の仕切板３をセットとして提供するのが好ましく、従って、１つの座板２に対して所望の枚数の仕切板３を所望の間隔で立設することができる。
【００１３】
座板２の詳細を図２に示すように、前記着脱孔８は、座板２の前後方向に隣接して配置され相互に連通された細幅部８ａと広幅部８ｂを形成しており、前記凹部９は、座板２の後縁から凹入され、座板２の肉厚を該凹部９に臨む部位において薄肉とした薄肉部９ａを形成している。図２（Ａ）に示すように、座板２の裏面には多数の補強リブが設けられており、着脱孔８は補強リブにより囲まれている。座板２の裏面の中央部には、凹陥部１１が形成され、永久磁石を構成するシート状の吸着板１２が嵌入され、接着剤又は粘着剤により固着される。
【００１４】
これに対し、図１に示すように、仕切板３の着脱片６は、仕切板３の下縁を下方に延長した脚片６ａと、該脚片６ａの先端において左右に張出す翼片６ｂを構成している。従って、仕切板３を座板２に嵌着するに際しては、着脱片６を着脱孔８の広幅部８ｂに挿通すると共に、鉤片７を凹部９の後方に臨ませ、この状態から仕切板３を前方に移動すると、着脱片６の脚片６ａが着脱孔８の細幅部８ａに進入し、翼片６ｂが細幅部８ａの両側に位置して座板２の裏面に圧接される。この際、図示のように、翼片６ｂの上面に円弧面等の楔面を形成しておくのが好ましい。また同時に、仕切板３の前方移動により、鉤片７が凹部９に進入し、鉤片７の先端部が薄肉部９ａの裏面に圧接される。この場合も、鉤片８の先端部の上面に円弧面等の楔面を形成しておくのが好ましい。尚、仕切板３を座板２から取外す場合は、前記と逆の操作により、仕切板３を後方に移動せしめ、鉤片７を凹部９から脱出させ、着脱片６の翼片６ｂを着脱孔８の広幅部８ｂに移動せしめると共に上方に引き抜けば良い。
【００１５】
フロント板４は、合成樹脂製の透明板（半透明板を含む）により形成されており、座板２の前縁に交差して沿わしめられる基板部１３の両側縁に位置して裏面（後方）に突出する添設手段１４、１４を設けており、基板部１３の裏面に対して添設手段１４、１４を介して文字や図形等の販促表示を施した情報シート（図示省略）を着脱自在に添設できる構成とされている。このため、一対の添設手段１４、１４は、基板部１３の裏面に対して僅かな隙間を有して湾曲又は折曲された保持片１４ａにより構成されている。
【００１６】
更に、フロント板１４を座板２の前縁近傍部に対して着脱自在に立設可能とするため、フロント板１４の下縁近傍の裏面には、後方に突出すると共に幅方向に間隔をあけて配置された複数（図例の場合は４個）の着脱支持手段１５が設けられ、これに対して、座板２の前縁近傍部には、該座板２の表裏を貫通する支持孔１６が幅方向に間隔をあけて複数（図例の場合は４個）設けられている。
【００１７】
支持孔１６は、上述した着脱手段１０を構成する着脱孔８に対して座板２の幅方向に位置をずらせて配置され（即ち、幅方向に隣接する着脱孔８、８の間に位置して設けられている）、座板２の前後方向に配置され相互に連通された幅広孔１６ａと細幅孔１６ｂを形成している。尚、図２（Ａ）に示すように、支持孔１６は座板２の裏面に設けられた補強リブにより囲まれている。
【００１８】
これに対し、着脱支持片１５は、座板２の上面に重ねられたときフロント板４を後傾姿勢にて保持するように基板部１３の裏面から傾斜角度を有して突出する平板状のブラケット部１５ａと、該ブラケット部１５ａの下面から突出する脚部１５ｂと、脚部１５ｂの先端において左右に張出す翼部１５ｃを備えている。従って、フロント板４を座板２に嵌着するに際しては、着脱支持手段１５の翼部１５ｃ及び脚部１５ｂを支持孔１６の広幅孔１６ａに挿通せしめ、ブラケット部１５ａにより支持孔１６を上方から被った状態で、フロント板４を後方に移動すると、脚部１５ｂが支持孔１６の細幅部１６ｂに進入し、翼部１５ｃが細幅部１６ｂの両側に位置して座板２の裏面に圧接される。この際、翼部１５ｃの上面に円弧面等の楔面を形成しておくのが好ましい。このようにして取付けられたフロント板４は、図示のように、後傾姿勢にて立設され保持される。尚、フロント板４を座板２から取外す場合は、前記と逆の操作により、フロント板４を前方に移動せしめ、着脱支持手段１５の翼部１５ｃを支持孔１６の広幅部１６ａに移動せしめると共に上方に引き抜けば良い。座板２に設けた支持孔１６は、前述のように仕切板３を固着するための着脱孔８から横方向に位置ずれして設けられており、着脱支持手段１５が座板２の仕切板３に干渉することはないので、座板２に仕切板３を取付けたままの状態で、フロント板４を自由に座板２に対して着脱できるという利点がある。
【００１９】
仕切板３は、前述した着脱片６、６及び鉤片７を含んで全体が合成樹脂により一体成形されており、座板２に立設された状態で、座板２に載置された横向き姿勢ＣＬのケースＣを側部から支持する平板部１７を構成することにより、仕切装置として機能する。それと同時に、選ばれたケースＣを前向き姿勢ＣＦで展示可能とする展示スタンドとして機能するように、仕切板３は、以下に説明するような独創的且つ機能的な形状を備えた展示手段１８を構成している。
【００２０】
展示手段１８は、前向き姿勢ＣＦとされたケースＣを後傾姿勢とした状態で、フロント板４に近接して臨む仕切板３の前端近傍に位置してケースＣの底部を支承する支承部１９を形成し、該支承部１９の前部からフロント板４の裏面に沿って起立することによりケースＣの前向き偏平面Ｃ１の下縁に係止する係止突部２０を設け、仕切板３の上部に位置してケースＣの背面（後向き偏平面Ｃ２）を支持する支持部２１を形成している。更に、支承部１９から連続して後向きに凹入された切欠部２２を形成している。
【００２１】
従って、本発明装置１によれば、複数の座板２を連結手段５を介して延長状に連結し、店舗における陳列棚Ｓに対して長手方向に長く延びるように連結された状態で設置することができ、必要な個所に所望の間隔で仕切板３を立設することができる。この際、陳列棚Ｓがスチール製の場合は、座板２を磁石シートから成る吸着板１２を介して固定状態で設置することができる。この状態で、図３に示すように、座板２に任意の位置で選ばれた着脱手段１０を介して仕切板３が着脱自在に立設されているので、座板２の上に列設積層状に載置された横向き姿勢ＣＬのケースＣは、仕切板３により側方から支持されるので、例えば、ジャンル別等に応じてケース群を区分けした状態で陳列棚に陳列することができる。
【００２２】
そして、図３に示すように、展示スタンドとして使用すべき座板２に対して、少なくとも２枚以上の複数枚の仕切板３、３を立設せしめると共に、座板２の前縁にフロント板４を取付け、間隔をあけて配置された仕切板３、３の支承部１９と支持部２１を利用することにより、任意に選ばれたケースＣのジャケットが正面向きとなるような前向き姿勢ＣＦにて該ケースＣを展示することができる。
【００２３】
図４（Ａ）に示すように、通常、間隔Ｈにより上下に配置された陳列棚Ｓ、Ｓは、横向き姿勢ＣＬとしたケースＣを前後方向に移動することにより座板２の上部空間に対して出し入れ自在であるが、ケースＣを上下に持ち上げ可能とするほどの十分なスペースを有していない。この点に関して、本発明装置１によれば、前向き姿勢ＣＦにより展示すべきケースＣは、このような持ち上げが不能とされた狭い上下間隔Ｈのスペース内においても、仕切板３、３の係止突部２０や、フロント板４を容易に乗り越えさせることができ、前向き姿勢ＣＦの状態で展示することができる。
【００２４】
図４（Ｂ）は、仕切板３に展示した前向き姿勢ＣＦのケースＣを取出す際の作用を示している。先ず、実線で示すようなやや後傾した前向き姿勢ＣＦの展示状態において、ケースＣは、底部を支承部１９に支承され、後向き偏平面Ｃ２を支持部２１に支持されている。従って、支承部１９と支持部２１は、それぞれの延長線が直角に交わるような直線縁により形成するのが好ましい。この状態から、ケースＣの上部を前方に引き寄せると、ケースＣの底部が支承部１９から後方に向けて上り勾配となる切欠部２２の傾斜縁２２ａへと移動する。更に、ケースＣの上部が前方に向けて伏臥するように引き寄せながら回動せしめると、ケースＣの前向き偏平面Ｃ１がフロント板４の頂部に接支せしめられる。このようなケースＣの回動中、ケースＣの底部は傾斜縁２２ａに沿って好適に滑動しつつ切欠部２２の内部に進入する。ケースＣがフロント板４の頂部に接支したほぼ水平姿勢において、ケースＣの底部近傍は、傾斜縁２２ａから折返状に屈折した切欠部２２の奥端の狭窄部２２ｂにより、それ以上の回動を阻止されるので、作業者がケースＣから手を離しても、ケースＣが前方に滑落することはなく安全である。このようにケースＣを水平姿勢に近い状態まで回動せしめた後は、ケースＣを本発明装置１の前方に引き抜けば良い。
【００２５】
上記はケースＣを取出す方法を説明したが、陳列棚Ｓに設置した本発明装置１に対してケースＣを挿入し、ケースＣを前向き姿勢ＣＦとして仕切板３の支承部１９及び支持部２１を利用して展示せしめるためには、前記と逆の操作を行えば良い。
【００２６】
以上の説明から明らかな通り、図３及び図４に示すように、前向き姿勢ＣＦのケースＣを展示する展示スタンドとして、座板２にフロント板４を取付ける場合は、仕切板３に係止突部２０を形成することは必ずしも必要でない。この場合、係止突部２０がなくても、展示状態のケースＣは、底部近傍部をフロント板４により前側から係止され、前方への滑落を阻止されているからである。
【００２７】
図５及び図６は、前向き姿勢ＣＦのケースＣを展示するに際し、座板２にフロント板４を取付けない場合を示している。このように本発明装置１は、フロント板４を取付けなくても、仕切装置と展示スタンドを兼用せしめた使用方法が可能である。この場合、展示状態のケースＣは、顧客等が手を触れてケースＣの底部が前方に滑動すると陳列棚Ｓから滑落する危険があるので、上述したような係止突部２０を設けることが望ましい。このような係止突部２０は、相当な背丈を有することが好ましいが、本発明装置１によれば、図６に示すように、係止突部２０を乗り越えるようにケースＣを高く持ち上げなくても、切欠部２２を介してケースＣを回動せしめることが可能であるから、狭い上下間隔Ｈとされた陳列棚Ｓ、Ｓの間において、本発明装置１に対するケースＣの出し入れが容易である。その作用は、図４に基づいて前述した説明とほぼ同様であるので、上記の説明を援用する。
【００２８】
図３ないし図６は、１例として、ＣＤを商品として収納した比較的小さなケースＣについて説明したが、本発明装置１は、ＤＶＤやビデオカセット等の商品を収納した比較的大きなケースＣについても、展示スタンド兼用の陳列仕切装置として利用することができる。参考までに、ＤＶＤを収納したケースＣについて、座板２にフロント板４を取付けた状態での使用方法を図７に示しており、フロント板４を取付けない状態での使用方法を図８に示している。
【００２９】
【発明の効果】
本発明によれば、仕切装置により展示スタンドを兼用できる構成であるから、店舗における保有及び保管が簡単容易であると共に、コスト削減に貢献することができる。この際、上記実施形態のように座板２と仕切板３とフロント板４を分解組立自在に構成しておけば、保管及び運搬に便利となる。更に、座板２を連結手段５により連結可能に構成すれば、長尺の陳列棚に対しても、連結により長く延長された座板２を設置することができ、しかも、この際、仕切板３は、座板２に対して着脱自在に立設できるので、所定の枚数の仕切板３を所望の間隔で取付けることができ、ケースＣを横向き姿勢ＣＬで列設積層状に陳列する際の自由性が高いという利点がある。
【００３０】
特に、本発明によれば、前述のように延長状に連結された座板２のうち、所望の座板２を展示スタンド用として決定することにより、該座板２に間隔をあけて取付けた少なくとも２枚の仕切板３、３に対して、その展示手段１８として構成された支承部１９及び支持部２１を利用することにより、ピーアール用のケースＣを前向き姿勢ＣＦとして展示保持せしめることができる。そして、この際、ケースＣは、上下方向に高く持ち上げなくても、展示手段１８に形成された切欠部２２を介して前後方向に回動せしめることが可能であるから、狭い上下間隔Ｈとされた陳列棚Ｓ、Ｓの間においても、本発明装置１に対してケースＣを容易に出し入れすることができる。
【００３１】
このため、請求項１に記載のようにフロント板４を取付けることにより販促効果を高めた展示スタンドの場合でも、ケースＣを持ち上げることなくフロント板４を乗り越えて出し入れすることが可能であり、また、請求項２に記載のように係止突部２０を設けることにより展示中のケースＣの滑落を防止した展示スタンドの場合でも、ケースＣを持ち上げることなく係止突部２０を乗り越えて出し入れすることが可能であるという優れた効果がある。
【図面の簡単な説明】
【図１】本発明の実施形態を分解状態で示す斜視図である。
【図２】座板を拡大して示しており、（Ａ）は裏面（下面）を示す斜視図、（Ｂ）は表面（上面）を示す斜視図である。
【図３】本発明の実施形態を組立状態で示しており、フロント板を取付けた実施例を示す斜視図である。
【図４】フロント板を取付けた実施例の作用を示しており、（Ａ）はケースを前向き姿勢で展示した状態を示す側断面図、（Ｂ）はケースを取出す際の作用を示す側断面図である。
【図５】本発明の実施形態を組立状態で示しており、フロント板を取付けていない実施例を示す斜視図である。
【図６】フロント板を取付けていない実施例の作用を示しており、（Ａ）はケースを前向き姿勢で展示した状態を示す側断面図、（Ｂ）はケースを取出す際の作用を示す側断面図である。
【図７】本発明の実施形態の組立体をＤＶＤ収納ケースのために利用した例を示す参考図であり、フロント板を取付けた実施例を示す斜視図である。
【図８】本発明の実施形態の組立体をＤＶＤ収納ケースのために利用した例を示す参考図であり、フロント板を取付けていない実施例を示す斜視図である。
【符号の説明】
１    展示スタンド兼用の陳列仕切装置（本発明装置）
２    座板
３    仕切板
４    フロント板
５    連結手段
６    着脱片
７    鉤片
８    着脱孔
９    凹部
１０    着脱手段
１２    吸着板
１５    着脱支持手段
１６    支持孔
１７    平板部
１８    展示手段
１９    支承部
２０    係止突部
２１    支持部
２２    切欠部
２２ａ  傾斜縁
２２ｂ  狭窄部
【図１】
2004215802.tif 000003
【図２】
2004215802.tif 000004
【図３】
2004215802.tif 000005
【図４】
2004215802.tif 000006
【図５】
2004215802.tif 000007
【図６】
2004215802.tif 000008
【図７】
2004215802.tif 000009
【図８】
2004215802.tif 000010